(57)【要約】  【課題】  管理端末において、無線システムとしての通信状況や障害の発生の監視がしやすい新たな無線システムを提供する。  【解決手段】  管理端末において、無線端末の全体システムがツリー形式の表示画面で表示され、表示されている通信状態情報または障害情報またはこれら両方の情報が表示画面の任意の部分を選択することにより、当該情報の詳細データが表示されることを特徴とする。【選択図】  図２
2005268998.tif 000002
【特許請求の範囲】
【請求項１】
管理端末と、回線制御装置と、少なくとも１つの基地局と、複数の無線端末とより構成される無線システムにおいて、前記管理端末において、前記無線端末の全体システムがツリー形式の表示画面で表示され、表示されている通信状態情報または障害情報またはこれら両方の情報が前記表示画面の任意の部分を選択することにより、当該情報の詳細データが表示されることを特徴とする無線システム。
【発明の詳細な説明】
【技術分野】
【０００１】
本発明は、管理端末と、回線制御装置と、少なくとも１つの基地局と、複数の無線端末とより構成される無線システムに関する。
【背景技術】
【０００２】
管理端末と、回線制御装置と、少なくとも１つの基地局が空港内に設置され、複数の無線端末が空港内の各所を移動する無線システムが、空港内での乗客・手荷物・貨物の輸送業務に関連し、航空機の整備、乗客の誘導及び空港の警備等における無線通信のために利用されている。
【０００３】
このような無線システムにおいて、管理端末は、回線制御装置と基地局を介して、無線端末の通信状況や障害の発生を知ることができる（文献公知発明に係るものではない）。
【発明の開示】
【発明が解決しようとする課題】
【０００４】
上記のように、管理端末は、無線端末の通信状況や障害の発生を、単発的に知ることができるが、無線端末自身の情報だけであり、その無線端末が属する基地局は、基地局との送受信結果を別に追跡しないと判明しないので、無線システムとしての監視がしにくい課題がある。
【０００５】
本発明の目的は、管理端末において、無線システムとしての通信状況や障害の発生の監視がしやすい新たな無線システムを提供することにある。
【課題を解決するための手段】
【０００６】
本発明の無線システムは、管理端末と、回線制御装置と、少なくとも１つの基地局と、複数の無線端末とより構成される無線システムにおいて、前記管理端末において、前記無線端末の全体システムがツリー形式の表示画面で表示され、表示されている通信状態情報または障害情報またはこれら両方の情報が前記表示画面の任意の部分を選択することにより、当該情報の詳細データが表示されることを特徴とする。
【発明の効果】
【０００７】
本発明によれば、管理端末において、無線システムとしての通信状況や障害の発生の監視がしやすい新たな無線システムを得ることができる。
【発明を実施するための最良の形態】
【０００８】
図１は本発明に係る無線システムの構成例を示す図である。図１において、無線システムは、管理端末１０と、管理端末１０にシリアル回線で接続された回線制御装置１１と、回線制御装置１１にデジタル回線で接続された少なくとも２つの基地局１２，１３と、基地局１２に無線回線で接続される無線端末１２−１，１２−２と、基地局１３に無線回線で接続される無線端末１３−１，１３−２とから構成される。
【０００９】
管理端末１０はパソコンであり、回線制御装置１１を介して基地局１２，１３や無線端末１２−１，１２−２，１３−１，１３−２の通信状態や障害の発生を監視する。
【００１０】
無線端末１２−１，１２−２の通信状態は、基地局１２を介して管理端末１０に通信状態情報として通報される。無線端末１３−１，１３−２の通信状態は、基地局１３を介して管理端末１０に通信状態情報として通報される。
【００１１】
基地局１２で障害が発生すれば、基地局１２から管理端末１０に、障害が発生したことを示す障害情報が通報される。また基地局１３で障害が発生すれば、基地局１３から管理端末１０に、障害が発生したことを示す障害情報が通報される。
【００１２】
無線端末１２−１または１２−２で障害が発生すれば、当該無線端末から基地局１２を介して管理端末１０に、障害が発生したことを示す障害情報が通報される。
【００１３】
無線端末１３−１または１３−２で障害が発生すれば、当該無線端末から基地局１３を介して管理端末１０に、障害が発生したことを示す障害情報が通報される。
【００１４】
したがって、管理端末１０は、全ての基地局１２，１３や無線端末１２−１，１２−２，１３−１，１３−２の通信状態や障害の発生を収集することができる。
【００１５】
管理端末１０は、ＲＯＭと画面を有し、該ＲＯＭには、無線端末の全体システムを構成する各基地局および各管理端末をアイコン付きのツリー形式で画面に表示する第１記憶部と、各基地局および各管理端末に対して通信状態または障害情報またはこれら両方の情報を関連付けて画面に表示する第２記憶部と、通信状態または障害情報またはこれら両方の情報とその詳細データとを関連付けて画面に表示する第３記憶部と、各基地局および各管理端末と地図とを関連付けて画面に表示する第４記憶部とを少なくとも有する。
【００１６】
管理端末１０の操作キーを押すことにより、第１記憶部に記憶されている情報が読み出され、画面に表示される。
【００１７】
図２は図１における管理端末の画面表示の第１の例を示す図である。図２においては、２つの基地局０，基地局１と、基地局０のチャネル０，チャネル１と、チャネル０に対する２つの無線端末０，無線端末１が、図２に示すようにアイコン付きのツリー形式で画面に表示されている。
【００１８】
また第２記憶部に記憶されている情報が読み出され、２つの基地局０，基地局１と、基地局０のチャネル０，チャネル１と、チャネル０に対する２つの無線端末０，無線端末１の各々のアイコンとして、通信状態情報や障害情報を示す独自のアイコンで、画面に表示されている。
【００１９】
例として図２において、２１は通信使用中の基地局／チャネルを表すアイコン、２２は通話中の発信無線端末を表すアイコン、２３は通話中の着信無線端末を表すアイコン、２４は待受け中の基地局／チャネルを表すアイコンである。
【００２０】
また、２５は障害発生中の基地局／チャネルを表すアイコンであり、アイコン２５をマウスでクリックすると、第３記憶部に記憶されている情報が読み出され、障害情報の詳細データが表示される。
【００２１】
さらに、地図を示すアイコン２ｍをマウスでクリックすると、第４記憶部に記憶されている情報が読み出され、図２に表示の基地局と無線端末の現在地点が示された地図が表示される。
【００２２】
したがって、管理端末１０は管理端末１０の画面上の図２のような表示を見ることで、基地局と各基地局に属する無線端末との関係、および各基地局および無線端末の通信状態情報や障害情報が、ツリー形式とアイコンの形状で、すぐに認識できるので、無線システムとしての通信状況や障害の発生の監視がしやすい効果がある。また基地局と無線端末の現在地点も表示することでより一層便利である効果がある。
【００２３】
図３から図５は図１における管理端末の画面表示の第２の例を示す図である。
【００２４】
図３においては、管理端末と、複数の基地局０，基地局１，…，基地局ｎとがツリー形式で画面に表示されている。ここで、基地局０，基地局１，…，基地局ｎはその文字自体がアイコン３１，３２，…，３ｎとなっている。図３において、例えば基地局０のアイコン３１が点灯状態から点滅状態に変わったら、基地局０のアイコン３１をマウスでクリックすると、図４の画面に移行する。
【００２５】
図４においては、基地局０のアイコン３１と、基地局０に属するところの無線端末０のアイコン４１，無線端末１のアイコン４２がツリー形式で画面に表示されている。図４において、例えば無線端末１のアイコン４２が点滅していたら、次に無線端末１のアイコン４２をマウスでクリックして、図５の画面に移行する。
【００２６】
図５においては、基地局０と無線端末１が表示され、且つ例えば緊急発報の文字が点滅しているとする。このことで、無線端末１から緊急情報の通報があったことおよびその詳細データを監視することができる。
【００２７】
さらに、図３，図４，図５において、地図を示すアイコン３ｍ，４ｍ，５ｍをマウスでクリックすると、第４記憶部に記憶されている情報が読み出され、図３，図４，図５の各々の図に表示の基地局と無線端末の現在地点が示された地図が表示される。
【００２８】
以上は緊急情報の場合であったが、通信状態の監視の場合には、同様に該当する基地局のアイコン、通信端末のアイコンの順にマウスでクリックすることで、通信状態の詳細データを画面上に表示または点滅で知ることができる。
【００２９】
したがって、管理端末１０は管理端末１０の画面上の、基地局と無線端末のツリー形式のアイコンから、順次該当するアイコンを、図３から図５のように、クリックしていく表示にすることで、該当する基地局とその基地局に属する該当する無線端末との関係、および各基地局および無線端末の通信状態情報や障害情報が、ツリー形式とアイコンの形状で、認識できるので、無線システムとしての通信状況や障害の発生の監視がしやすい効果がある。また基地局と無線端末の現在地点も表示することでより一層便利である効果がある。
【００３０】
上記の本実施の形態によれば、管理端末において、無線システムとしての通信状況や障害の発生の監視がしやすい新たな無線システムを得ることができる。
【図面の簡単な説明】
【００３１】
【図１】本発明に係る無線システムの構成例を示す図である。
【図２】図１における管理端末の画面表示の第１の例を示す図である。
【図３】図１における管理端末の画面表示の第２の例を示す図の第１画面である。
【図４】図１における管理端末の画面表示の第２の例を示す図の第２画面である。
【図５】図１における管理端末の画面表示の第２の例を示す図の第３画面である。
【符号の説明】
【００３２】
１０…管理端末、１１…回線制御装置、１２，１３…基地局、１２−１，１２−２，１３−１，１３−２…無線端末、２１，２２，２３，２４，２ｍ，３１，３２，３ｎ，３ｍ，４１，４２，４ｍ…アイコン。
【図１】
2005268998.tif 000003
【図２】
2005268998.tif 000004
【図３】
2005268998.tif 000005
【図４】
2005268998.tif 000006
【図５】
2005268998.tif 000007